(57)【要約】【課題】  上流側機器給水源と下流側末端機器との間に停留する水の量を簡単に調節可能な配管施工方法を提供すること。【解決手段】  給湯器４とシャワー設備６との間を給湯用パイプ８で接続するための配管施工方法であって、給湯用パイプ８と給湯器４又はシャワー設備６との接続部分から、給湯用パイプ８の内部に可撓性のある小径パイプ１１を挿入配置することで、給湯用パイプ８の内容積を減少させる調節を行う。【選択図】  図１
2018155277.tif 000002
【特許請求の範囲】
【請求項１】
上流側機器からの水を下流側機器へと送るために用いられる送水管であって、可撓性を有する長尺体を内部に挿入配置することで、内容積を減少させる調節が施されたことを特徴とする送水管。
【請求項２】
上流側機器と下流側機器との間を送水管で接続するための配管施工方法であって、前記送水管と前記上流側機器又は前記下流側機器との接続部分から、当該送水管の内部に可撓性を有する長尺体を挿入配置することで、当該送水管の内容積を減少させる調節が可能であることを特徴とする配管施工方法。
【発明の詳細な説明】
【技術分野】
【０００１】
本発明は、例えば給湯器とシャワー設備との間に用いられる送水管及び配管施工方法に関する。
【背景技術】
【０００２】
特許文献１には、給湯器に接続されたヘッダーとシャワー設備とを送水管で接続する配管システムが開示されている。
【先行技術文献】
【特許文献】
【０００３】
【特許文献１】特開２００７−２９１７４１号公報
【発明の概要】
【発明が解決しようとする課題】
【０００４】
このような配管システムにおいては、適切な内径よりも大きな内径の送水管を用いた場合、ヘッダーとシャワー設備との間に停留する水の量が多くなって、次回の使用時における湯待ち時間が長くなる問題がある。
【０００５】
特に、配管システムの施工後に当該問題を解決しようとした場合、配管済みの送水管を取り外して、適切な内径の送水管で再度配管する必要があり、施工コストが嵩む問題がある。
【０００６】
本発明の目的は、上流側機器と下流側機器との間に停留する水の量を簡単に調節可能な送水管及び配管施工方法を提供すること。
【課題を解決するための手段】
【０００７】
上記の目的を達成するために、請求項１に記載の発明は、上流側機器からの水を下流側機器へと送るために用いられる送水管であって、可撓性を有する長尺体を内部に挿入配置することで、内容積を減少させる調節が施されたことを特徴とする。
【０００８】
請求項２に記載の発明は、上流側機器と下流側機器との間を送水管で接続するための配管施工方法であって、前記送水管と前記上流側機器又は前記下流側機器との接続部分から、当該送水管の内部に可撓性を有する長尺体を挿入配置することで、当該送水管の内容積を減少させる調節が可能であることを特徴とする。
【発明の効果】
【０００９】
本発明によれば、長尺体を挿入配置するか否かの選択で、上流側機器と下流側機器との間に停留する水の量を簡単に調節することができる。
【図面の簡単な説明】
【００１０】
【図１】給湯器とシャワー設備との間の配管態様を模式的に示す図。
【図２】配管施工方法を説明するための斜視図。
【図３】小径パイプが挿入配置された状態にある給湯用パイプの横断面図。
【発明を実施するための形態】
【００１１】
以下、本発明の一実施形態について説明する。
図１は、給水源１とシャワー設備６との間における給水系の配管と、上流側機器としての給湯器４と下流側機器としてのシャワー設備（混合水栓）６との間における給湯系の配管とを、模式的に示している。
【００１２】
給水系の配管は、上流側パイプ２、第１分岐パイプ１５、及び第２分岐パイプ１６を備えている。上流側パイプ２は、給水源１と分岐継手３の流入部３ａとの間を接続する。第１分岐パイプ１５は、分岐継手３の第１流出部３ｂと給湯器４の流入側継手５との間を接続する。第２分岐パイプ１６は、分岐継手３の第２流出部３ｃとシャワー設備６の給水側継手１７との間を接続する。
【００１３】
給水源１からの水は、上流側パイプ２を介して分岐継手３へと送られる。分岐継手３に送られた水の一部は、第１流出部３ｂ、第１分岐パイプ１５及び流入側継手５を介して給湯器４へと送られて、給湯器４で加熱される。分岐継手３に送られた水の残りは、第２流出部３ｃ、第２分岐パイプ１６及び給水側継手１７を介してシャワー設備６へと送られて、シャワー６ａやカラン６ｂから放出される。
【００１４】
給湯系の配管は、送水管としての給湯用パイプ８を備えている。給湯用パイプ８は、給湯器４の流出側継手９とシャワー設備６の給湯側継手１８との間を接続する。給湯器４で加熱された水は、流出側継手９、給湯用パイプ８及び給湯側継手１８を介してシャワー設備６へと送られ、給水側継手１７からの水と混合された後、シャワー６ａやカラン６ｂから放出される。給湯用パイプ８や、前述した上流側パイプ２、第１分岐パイプ１５、及び第２分岐パイプ１６は、架橋ポリエチレンやポリブテン等の合成樹脂製であって、可撓性を有している。
【００１５】
図１及び図３に示すように、給湯用パイプ８の内部には、長尺体としての小径パイプ１１が挿入配置されている。小径パイプ１１は、架橋ポリエチレンやポリブテン等の合成樹脂製であって可撓性を有している。小径パイプ１１は、給湯用パイプ８の内径よりも小さな外径を有している。小径パイプ１１は、別の配管用として準備されていたパイプを、必要な長さ（体積）で切断して流用したものである。そして、小径パイプ１１が挿入配置された給湯用パイプ８は、小径パイプ１１の体積に応じて内容積が減少されている。
【００１６】
このように、給湯用パイプ８の内容積を減少させるのは、小径パイプ１１が挿入配置されていない状態の給湯用パイプ８では、内容積が大き過ぎて、シャワー設備６における湯待ち時間が長くなるという問題を生じるからである。当該問題を生じる可能性について、配管設計の段階で気が付けば、給湯用パイプ８よりも内径の小さなパイプで設計し直せばよいのであるが、当該配管設計の段階では気が付かなかったため、次のようにして施工現場で対応する。
【００１７】
すなわち、当該問題が生じる可能性について、施工途中で（具体的には給湯用パイプ８を流出側継手９及び給湯側継手１８の両方に接続する前に）気が付いた場合には、給湯用パイプ８の少なくとも一方の端部が開放された状態にあるため、当該端部を介して給湯用パイプ８の内部に小径パイプ１１を挿入配置した後、当該端部を対応する流出側継手９又は給湯側継手１８に対して接続すればよい。
【００１８】
また、当該問題が生じる可能性について、施工後に（具体的には給湯用パイプ８を流出側継手９及び給湯側継手１８の両方に接続した後で）気が付いた場合、或いは当該問題が実際に発生した場合には、給湯用パイプ８の一方の端部を対応する流出側継手９又は給湯側継手１８から一旦取り外して、当該端部から小径パイプ１１を挿入配置した後、当該端部を対応する流出側継手９又は給湯側継手１８に対して再度接続する。
【００１９】
このとき、施工現場の内装工事が完了されている状態では、シャワー設備６の給湯側継手１８が、内装用の壁の裏側に隠れているため、給湯側継手１８に対する作業者の接近が困難となる。この場合には、図２に示すように、露出した状態で設置されている給湯器４の流出側継手９から、対応する給湯用パイプ８の端部を取り外して、当該端部から小径パイプ１１を挿入配置すれば、内装を剥がす等の手間が無くて、当該作業を容易に行い得る。
【００２０】
図１及び図２に示すように、給湯用パイプ８に対する小径パイプ１１の挿入作業は、小径パイプ１１の先行端に流線形のキャップ１２を装着して行う。キャップ１２は、給湯用パイプ８の内周面に対する当たりが柔らであり、挿入をスムーズとするガイド作用を奏し得るし、当該内周面に対して小径パイプ１１の先行端の外周縁が摺接して当該内周面に傷が付くことを防止できる。キャップ１２は、小径パイプ１１の挿入配置が完了した後も、給湯用パイプ８の内部に残しておくので、回収の手間が無い。
【００２１】
このように、小径パイプ１１の挿入配置によって給湯用パイプ８の内容積を減少させることで、給湯器４とシャワー設備６との間に停留する水の量が減少し、次回のシャワー設備６の使用時における湯待ち時間を短縮することができる。前述したように、給湯用パイプ８に対する小径パイプ１１の挿入配置、つまり給湯用パイプ８の内容積の減少調節は、どのような施工タイミングであっても、給湯用パイプ８と給湯器４又はシャワー設備６との接続部分を介して容易に行うことができ、適切な内径のパイプで再度配管する場合のような施工コストの上昇を抑制することができる。
【００２２】
＜変形例＞
なお、上記実施形態を次のように変更して具体化することも可能である。
〇長尺体として、管体ではなく中実の棒状体やコイル状のものを用いること。中実の棒状体の場合、その横断面形状は、三角形や四角形等の多角形や、星形であってもよい。
【００２３】
〇給水系の配管の内容積を減少させるべく、上流側パイプ２、第１分岐パイプ１５、及び第２分岐パイプ１６のうちの少なくとも一つに、長尺体を挿入配置すること。
【００２４】
〇小径パイプ１１において、給湯器４側の端部にキャップ１２を装着すること。このようにすれば、キャップ１２の流線形によって、給湯器４からシャワー設備６へと向かう水の流れがスムーズとなる。
【００２５】
〇小径パイプ１１の両端部にキャップ１２を装着して、小径パイプ１１の内部に水が入り込まないようにすること。このようにすれば、小径パイプ１１の内部に死水が発生しないため、衛生的に優れる。また、小径パイプ１１を給湯用パイプ８から抜き出すとき、キャップ１２のガイド作用によって、何れの端部からの抜出作業も容易となる。
【００２６】
〇給湯器４とシャワー設備６との間にヘッダーが介在される構成の配管において、給湯器４と当該ヘッダーとを接続する送水管及び／又は当該ヘッダーとシャワー設備６とを接続する送水管の内部に、長尺体を挿入配置すること。
【００２７】
○例えば、施工現場の内装工事が完了されている状態で、シャワー設備６における湯待ち時間が長いという問題が発生した場合、次のように対応すること。小径パイプ１１として、給湯用パイプ８と同等の全長を有するものを用いる。流出側継手９及び給湯側継手１８は、小径パイプ１１を接続可能なものへと交換する。そして、小径パイプ１１を給湯用パイプ８の内部に挿入配置した後で、小径用パイプ１１を流出側継手９及び給湯側継手１８にそれぞれ接続すること。つまり、小径用パイプ１１の内空間のみを送水に用いること。
【符号の説明】
【００２８】
４…上流側機器としての給湯器、６…下流側機器としてのシャワー設備、８…送水管としての給湯用パイプ、１１…長尺体としての小径パイプ。
【図１】
2018155277.tif 000003
【図２】
2018155277.tif 000004
【図３】
2018155277.tif 000005